(57)【要約】【課題】フックを複数の異なる位置に配置するための操作を簡単にする電動工具におけるフックの取付構造を提供する。【解決手段】充電式レシプロソー１のハウジング２に、吊り下げ用のフック２０を取り付ける充電式レシプロソーにおけるフックの取付構造であって、ハウジングに、複数の異なる方向へ回動可能な球体２４を配置して、球体にフックを連結した。さらに、複数の異なる方向の一つを、フックの係止端部２９がハウジング２に挿入係止可能な方向とした。【選択図】図２
2014024126.tif 000002
【特許請求の範囲】
【請求項１】
電動工具のハウジングに、吊り下げ用のフックを取り付ける電動工具におけるフックの取付構造であって、
前記ハウジングに、複数の異なる方向へ回動可能な球体を配置して、該球体に前記フックを連結したことを特徴とする電動工具におけるフックの取付構造。
【請求項２】
前記複数の異なる方向の一つを、前記フックの係止端部が前記ハウジングに挿入係止可能な方向としたことを特徴とする請求項１に記載の電動工具におけるフックの取付構造。
【請求項３】
前記係止端部が前記ハウジングに前記挿入係止されたときに、前記フックと前記ハウジングとの間に係止開口が形成されることを特徴とする請求項２に記載の電動工具におけるフックの取付構造。
【請求項４】
前記ハウジングと前記球体との内の一方に、係合部を形成すると共に、他方に、前記複数の異なる方向に沿って前記係合部が係合自在な被係合部を複数形成して、
前記球体の回動に伴って前記係合部を各前記被係合部に係合させることにより、前記フックを、前記複数の異なる方向における任意の位置に固定自在としたことを特徴とする請求項１ないし３のいずれかに記載の電動工具におけるフックの取付構造。
【請求項５】
前記電動工具はレシプロソーであることを特徴とする請求項１ないし４のいずれかに記載の電動工具におけるフックの取付構造。
【請求項６】
前記レシプロソーは、前記ハウジングが前後方向に延設されてモータを収容し、前記ハウジングの前端部から前方へ突出して、前記モータの駆動で往復動し被切断材を切断する直線状の切断刃と、前記ハウジングの後端部に形成されたハンドルと、を備え、
前記ハンドルの上部で、前記前後方向と直交する左右方向の真中位置に、前記フックを連結した前記球体を配置したことを特徴とする請求項５に記載の電動工具におけるフックの取付構造。
【発明の詳細な説明】
【技術分野】
【０００１】
この発明は、電動工具のハウジングに、吊り下げ用のフックを取り付ける電動工具におけるフックの取付構造に関する。
【背景技術】
【０００２】
例えば特許文献１には、電動工具を作業者のベルト等に係止して吊り下げるためのフックの構造として、電動工具のハウジングに形成し左右を開口させたフック収容部に、略Ｕ字状のフックを左右方向へスライド可能に収容して、前記フック収容部に、前記フックの係止端部がフック収容部の左側から突出する左突出位置と、前記係止端部がフック収容部の右側から突出する右突出位置と、前記係止端部がフック収容部内に収まる収容位置とにそれぞれ保持可能な保持手段を設けたことが開示されている。
【０００３】
これに加えて特許文献１には、フックの係止端部をフック収容部から上方へ突出させる上突出位置に保持するために、前記フック収容部に、前記係止端部の上突出位置への回転を許容する逃げ部を設けたこと、当該係止端部を上突出位置に保持させるコイルバネを設けたことがそれぞれ開示されている。
【先行技術文献】
【特許文献】
【０００４】
【特許文献１】特開２００９−４５３７１号公報
【発明の概要】
【発明が解決しようとする課題】
【０００５】
しかしながら特許文献１のフックの構造では、左右の突出位置や上突出位置等のように複数の異なる位置でフックの係止端部を保持することができるものの、前記係止端部を左右の突出位置に保持するためには、フックの左右方向へのスライド操作を必要とし、前記係止端部を上突出位置に保持するためにはフックの回転操作を必要としていた。このため、複数の異なる位置で前記係止端部を保持するには、複数の異なる操作をしなければならない。よって、フックを複数の異なる位置に配置するための操作が簡単であるとは言い難かった。
【０００６】
この発明は、このような状況に鑑み提案されたものであって、フックを複数の異なる位置に配置するための操作を簡単にする電動工具におけるフックの取付構造を提供することを目的とする。
【課題を解決するための手段】
【０００７】
請求項１の発明に係る電動工具におけるフックの取付構造は、電動工具のハウジングに、吊り下げ用のフックを取り付ける電動工具におけるフックの取付構造であって、前記ハウジングに、複数の異なる方向へ回動可能な球体を配置して、該球体に前記フックを連結したことを特徴とする。
【０００８】
請求項２の発明は、請求項１において、前記複数の異なる方向の一つを、前記フックの係止端部が前記ハウジングに挿入係止可能な方向としたことを特徴とする。
【０００９】
請求項３の発明は、請求項２において、前記係止端部が前記ハウジングに前記挿入係止されたときに、前記フックと前記ハウジングとの間に係止開口が形成されることを特徴とする。
【００１０】
請求項４の発明は、請求項１ないし３のいずれかにおいて、前記ハウジングと前記球体との内の一方に、係合部を形成すると共に、他方に、前記複数の異なる方向に沿って前記係合部が係合自在な被係合部を複数形成して、前記球体の回動に伴って前記係合部を各前記被係合部に係合させることにより、前記フックを、前記複数の異なる方向における任意の位置に固定自在としたことを特徴とする。
【００１１】
請求項５の発明は、請求項１ないし４のいずれかにおいて、前記電動工具はレシプロソーであることを特徴とする。
【００１２】
請求項６の発明は、請求項５において、前記レシプロソーは、前記ハウジングが前後方向に延設されてモータを収容し、前記ハウジングの前端部から前方へ突出して、前記モータの駆動で往復動し被切断材を切断する直線状の切断刃と、前記ハウジングの後端部に形成されたハンドルと、を備え、前記ハンドルの上部で、前記前後方向と直交する左右方向の真中位置に、前記フックを連結した前記球体を配置したことを特徴とする。
【発明の効果】
【００１３】
請求項１，５の発明に係る電動工具におけるフックの取付構造によれば、球体の回動によるだけで、該球体に連結したフックを複数の異なる方向に回動させることができる。よって、フックを複数の異なる位置に配置するための操作を簡単に行うことができる。
請求項２の発明によれば、フックを使用しない場合には球体を、フックの係止端部がハウジングに挿入係止可能な方向へ回動させることで、前記係止端部をハウジングに収容できる。
請求項３の発明によれば、係止端部がハウジングに挿入係止されたときには、係止開口を係止部材等に係止させることで、電動工具を係止部材等に吊り下げることが可能になる。
請求項４の発明によれば、ハウジングと球体との内の一方に形成した係合部と、他方に形成した各被係合部とを係合させる簡単な構造で、複数の異なる方向における任意の位置にフックを固定することが可能になる。
請求項６の発明によれば、ハウジングの前後方向と直交する左右方向への球体の回動によって、フックを、当該左右方向における左側あるいは右側へ簡単に配置可能となる。
【図面の簡単な説明】
【００１４】
【図１】本発明の実施形態でフックを未使用位置に固定した充電式レシプロソーの斜視図である。
【図２】同フックを未使用位置に固定した同充電式レシプロソーの側断面図である。
【図３】図２のＡ−Ａ線要部断面図である。
【図４】同充電式レシプロソーのハンドル上部に配置される球体の斜視図である。
【図５】フックを上方位置に固定した充電式レシプロソーの斜視図である。
【図６】同フックを上方位置に固定した同充電式レシプロソーの側断面図である。
【図７】図６のＢ−Ｂ線要部断面図である。
【図８】フックを左位置に固定した充電式レシプロソーの斜視図である。
【図９】同フックを左位置に固定した同充電式レシプロソーの側断面図である。
【図１０】図９のＣ−Ｃ線要部断面図である。
【図１１】フックを右位置に固定した充電式レシプロソーの斜視図である。
【図１２】同フックを右位置に固定した同充電式レシプロソーの側断面図である。
【図１３】図１２のＤ−Ｄ線要部断面図である。
【発明を実施するための形態】
【００１５】
本発明の実施形態を図１ないし図１３を参照しつつ説明する。図１及び図２に示すように充電式レシプロソー１はハウジング２を備えている。ハウジング２は、充電式レシプロソー１の前後方向Ｘ（図１及び図２の左右方向）に延設されて、ハウジング２の後端部にハンドル３が形成されている。なお充電式レシプロソー１は本発明の電動工具の一例である。
【００１６】
図２に示すように、ハウジング２内の前後方向Ｘにおける中央付近にはモータＭが収容されている。そしてハウジング２の前端部（図１及び図２の右側）から、先端にツールホルダ５を有するスライダ（図示せず。）を、ハウジング２の前方へ突出させている。このツールホルダ５には、直線状の切断刃６（図２参照。）が、スライダと同一軸線方向へ取り付け可能である。またハウジング２の前部には、モータＭの回転をスライダの軸線方向（図１及び図２の左右方向）への直線往復動に変換する往復動機構（図示せず。）が収容されている。加えてハウジング２の前端面には、ガイドシュー８がハウジング２と直交状に支持されている。このガイドシュー８には、その前後方向（図２の左右方向）に貫通する貫通孔９（図１参照。）が設けられて、切断刃６が貫通孔９を通じてガイドシュー８を貫通可能となっている。
【００１７】
ハンドル３は、図２に示すように側面視で略コの字状とされている。このハンドル３には、トリガ１１を有するスイッチ１２が収容されている。トリガ１１は、ハンドル３の開口からハンドル３の外部に露出しており、ハンドル３内へ押し込み可能とされている。
【００１８】
図１及び図２に示すようにハンドル３の下端には、バッテリーパック装着部１３が形成されている。このバッテリーパック装着部１３にはバッテリーパック１４が着脱自在に装着される。上記のトリガ１１をハンドル３内に押し込むことでスイッチ１２がオン状態になると、バッテリーパック１４はモータＭに電力を供給する。これによりモータＭが回転して上記の往復動機構が動作すると、スライダと共に切断刃６が、スライダの軸線方向へ直線往復動して被切断材を切断する。
【００１９】
図１及び図２に示すようにハンドル３の上面には、充電式レシプロソー１を例えば壁に設けた係止部材に吊り下げるために用いるフック２０が取り付けられている。図２に示すようにフック２０は、金属製（例えばアルミニウム）の棒状体を略Ｕ字状に折り曲げて形成して、基端部２１と、基端部２１と対向して位置する係止部２２と、基端部２１と係止部２２との間であって、基端部２１の先端側から係止部２２へ向かうように折り返された折り返し部２３とで構成されている。基端部２１は、後述するように球体２４（図２参照。）と連結されている。
【００２０】
図１及び図２に示すようにハンドル３の上部には、ハンドル３の上面に開口して、金属製（例えば鉄製）の球体２４を収容可能な収容空間２５が形成されている。この収容空間２５は前後方向Ｘに細長い形状とされている。収容空間２５の底面で、前後方向Ｘと直交するハウジング２の左右方向Ｙの真中位置Ｐ（図３参照。）には、半球状の凹溝２６（図２及び図３参照。）が設けられている。図２及び図３に示すように球体２４は、凹溝２６に挿入されることで前記真中位置Ｐに配置されることになる。そして球体２４は、凹溝２６に沿って回動可能とされている。
【００２１】
図４及び図７に示すように球体２４は、該球体２４の左右両側に延びて球体２４の半周面に沿った半円状で、該半周面に凹設された第１ガイド溝３１と、第１ガイド溝３１の中央部と連設されて、前記半周面に沿って該中央部から球体２４の前方向へ第１ガイド溝３１と略直角に延びて、該半周面に凹設された第２ガイド溝３２とを有している。図４に示すように、第１ガイド溝３１の中央部には、該第１ガイド溝３１に開口する第１係合凹部３３が形成されている。また第１ガイド溝３１の一端部には、該第１ガイド溝３１に開口する第２係合凹部３４、第１ガイド溝３１の他端部には、該第１ガイド溝３１に開口する第３係合凹部３５がそれぞれ形成されている。さらに第２ガイド溝３２の前端には、該第２ガイド溝３２に開口する第４係合凹部３６が形成されている。
【００２２】
さらに図３に示すように球体２４は、周面に開口して該周面から球体２４の中心に向けて延びる長孔３７を有している。この長孔３７には、フック２０の基端部２１が挿入可能とされている。加えて図２及び図３に示すように球体２４は、周面に開口し前記長孔３７との直交方向に延びて該長孔３７に連通するピン導入孔３８（図２参照。）を有している。また基端部２１には、該基端部２１の軸方向との直交方向で基端部２１を貫通する貫通孔３９（図３及び図７参照。）が形成されている。基端部２１を長孔３７に挿入すると、ピン導入孔３８と貫通孔３９とが連通する。この状態で位置決めピン４０（図３及び図７参照。）をピン導入孔３８に導入すると、位置決めピン４０の先端側を貫通孔３９に嵌入させることができる。このようにすることでフック２０の基端部２１は長孔３７に抜け止めされて、フック２０は球体２４に連結されている。
【００２３】
一方、図２及び図３に示すように収容空間２５の底面には、凹溝２６の底中心に開口するコイルスプリング収容孔４５が形成されている。このコイルスプリング収容孔４５に収容されたコイルスプリング４６は、略円柱状のロックピン４７を球体２４側へ付勢している。図２及び図３にはロックピン４７が、コイルスプリング４６の付勢力によって球体２４の第４係合凹部３６に係合している状態を示した。後述するようにロックピン４７は、第４係合凹部３６以外にも第１係合凹部３３ないし第３係合凹部３５（図４参照。）に係合自在とされている。なお、コイルスプリング４６及びロックピン４７は本発明の係合部の一例であり、第１係合凹部３３ないし第４係合凹部３６は本発明の被係合部の一例である。
【００２４】
また図１及び図２に示すようにハンドル３の上部には、ハンドル３の上面に開口し収容空間２５の後端部と連続してハウジング２の左右方向Ｙに延びるスリット５０が形成されている。このスリット５０は、ハンドル３の左右の側面にも開口して、収容空間２５と直交状に形成されている。スリット５０は、後述するようにフック２０の回動を許容するために、フック２０の基端部２１を収容空間２５から逃がすために用いられる。さらに、前後方向Ｘにおけるハンドル３よりも前方位置には、ハウジング３の上面に開口する係止孔５１が形成されている。この係止孔５１には、以下に説明するように、フック２０の係止部２２の端部２９（以下「係止端部２９」という。）をハウジング２の上方から挿入して係止可能である。
【００２５】
次に本実施形態の充電式レシプロソー１においてフック２０の位置を変更する操作を説明する。フック２０を使用しない未使用位置に配置するときは、図２及び図３に示すようにロックピン４７を、球体２４の第４係合凹部３６に係合させる。ロックピン４７と第４係合凹部３６とを係合させることで、球体２４及びフック２０の回動が阻止される。これにより、フック２０を未使用位置に固定できる。未使用位置では図２に示すように、基端部２１が起立状態で収容空間２５から上方へ突出し、折り返し部２３がハウジング２の上方で前後方向Ｘに配置され、係止端部２９が、ハウジング２の上方から係止孔５１に挿入係止されて該係止孔５１に収容される状態を作り出すことができる。これに加えて図２に示すように係止端部２９が係止孔５１に挿入係止されたときには、フック２０とハウジング２との間に係止開口５３が形成されている。この係止開口５３は、ハウジング２の上面とフック２０とで囲まれた空間である。図２に示すように係止端部２９は係止孔５１に抜け止めできるため、例えば壁に設けた係止部材に係止開口５３を係止すれば、充電式レシプロソー１を、係止開口５３を介して該係止部材に吊り下げることが可能になる。
【００２６】
またフック２０を、係止部２２がハウジング２の上方に位置する上方位置（図５及び図７参照。）に配置する場合には以下の操作を行う。例えばフック２０を未使用位置（図１及び図２参照。）から上方位置へ移動させる場合には、操作者は、係止端部２９を係止孔５１から引き上げる。すると、球体２４の第２ガイド溝３２（図４及び図６参照。）の底面で、ロックピン４７がコイルスプリング４６の付勢力に抗して押されることで第４係合凹部３６（図６参照。）から抜け出る。その後も操作者が係止端部２９を係止孔５１から引き上げる操作を続けると、前記第２ガイド溝３２は、ロックピン４７を嵌め入れながら球体２４が、該球体２４の後方側（図６の左側）へ回動することを案内する。このときフック２０の基端部２１が収容空間２５からスリット５０に逃げることで、該フック２０も、球体２４を支点として前記後方側へ回動する。そして、球体２４が回動することで図７に示すように、第２ガイド溝３２と直交状に連設された第１ガイド溝３１の第１係合凹部３３がロックピン４７と対向する位置に到達したときには、ロックピン４７が、コイルスプリング４６の付勢力によって第１係合凹部３３と係合する。これにより、球体２４及びフック２０の回動が阻止されて、フック２０を上方位置に固定できる。この上方位置では図６に示すように、折り返し部２３が起立状態でスリット５０から上方へ突出すると共に、係止部２２がハウジング２の上方で前後方向Ｘに配置されている。例えば上方位置に固定されたフック２０の係止部２２を、水平方向に延びる建築設備の梁に係止することで、充電式レシプロソー１を横向き状態で梁に吊り下げることができる。
【００２７】
一方、フック２０を使用する必要がなくなり、フック２０を上方位置から前記未使用位置に移動させる場合には、操作者は、係止部２２を球体２４を支点としてハウジング２の前方側へ回動させる。すると、第２ガイド溝３２の底面で、ロックピン４７がコイルスプリング４６の付勢力に抗して押されることで上記の第１係合凹部３３から抜け出る。その後も操作者が係止部２２を前記前方側へ回動させる操作を続けると、前記第２ガイド溝３２は、ロックピン４７を嵌め入れながら球体２４が、該球体２４の前方側（図６の右側）へ回動することを案内する。このときフック２０の基端部２１がスリット５０から収容空間２５に逃げることで、フック２０も、球体２４を支点として前記前方側へ回動する。そして、球体２４が回動することで図３に示すように、第２ガイド溝３２の第４係合凹部３６がロックピン４７と対向する位置に到達したときには、ロックピン４７が第４係合凹部３６と係合する。これにより、球体２４及びフック２０の回動が阻止されて、フック２０を前記未使用位置に固定できる。
【００２８】
さらにフック２０を、係止部２２がハウジング２の左側に位置する左位置（図８及び図１０参照。）へ配置する場合には以下の操作を行う。例えばフック２０を上方位置（図５及び図６参照。）から左位置へ移動させる場合には、操作者は、係止部２２を球体２４を支点としてハウジング２の左側へ回動させる。すると、第１ガイド溝３１（図４及び図１０参照。）の底面で、ロックピン４７がコイルスプリング４６の付勢力に抗して押されることで第１係合凹部３３（図７及び図１０参照。）から抜け出る。その後も操作者が係止部２２を前記左側へ回動させる操作を続けると、前記第１ガイド溝３１は、ロックピン４７を嵌めながら球体２４が、該球体２４の左側（図１０の右側）へ回動することを案内する。このときフック２０の折り返し部２３が、図５及び図８から理解できるようにスリット５０内に傾倒することで、フック２０も、球体２４を支点として前記左側へ回動する。そして、球体２４が回動することで図１０に示すように、第１ガイド溝３１の第３係合凹部３５がロックピン４７と対向する位置に到達したときに、ロックピン４７が第３係合凹部３５と係合する。これにより、球体２４及びフック２０の回動が阻止されて、フック２０を左位置に固定できる。この左位置では図８に示すように、折り返し部２３がスリット５０からハウジング２の左側へ突出すると共に、係止部２２が該左側で前後方向Ｘに配置されている。例えば左位置に固定されたフック２０の係止部２２を、水平方向に延びる梁に右側から係止することで、充電式レシプロソー１を下向き状態で梁に吊り下げることができる。
【００２９】
加えてフック２０を、係止部２２がハウジング２の右側に位置する右位置（図１１及び図１２参照。）へ配置する場合には以下の操作を行う。例えばフック２０を上方位置（図５及び図６参照。）から右位置へ移動させる場合には、操作者は、係止部２２を球体２４を支点としてハウジング２の右側へ回動させる。すると、フック２０を上方位置から左位置へ移動させる場合と同様に、ロックピン４７が第１係合凹部３３から抜け出る。その後も操作者が係止部２２を前記右側へ回動させる操作を続けると、前記第１ガイド溝３１は、ロックピン４７を嵌めながら球体２４が、該球体２４の右側（図１２の左側）へ回動することを案内する。このときフック２０の折り返し部２３が、図５及び図１１から理解できるようにスリット５０内に傾倒することで、フック２０も、球体２４を支点として前記右側へ回動する。そして、球体２４が回動することで図１３に示すように、第１ガイド溝３１の第２係合凹部３４がロックピン４７と対向する位置に到達したときに、ロックピン４７が第２係合凹部３４と係合する。これにより、球体２４及びフック２０の回動が阻止されて、フック２０を右位置に固定できる。この右位置では図１１に示すように、折り返し部２３がスリット５０からハウジング２の右側へ突出すると共に、係止部２２が該右側で前後方向Ｘに配置されている。例えば右位置に固定されたフック２０の係止部２２を、水平方向に延びる梁に左側から係止することで、充電式レシプロソー１を下向き状態で梁に吊り下げることができる。
【００３０】
このように本実施形態では球体２４は、第１ガイド溝３１によって該球体２４の左側及び右側に回動することが案内され、第２ガイド溝３２によって該球体２４の前後方向に回動することが案内される。そしてロックピン４７を、第１ガイド溝３１に形成した各係合凹部３３〜３５と係合させることで、フック２０を上方位置、右位置、左位置にそれぞれ固定できる。加えてロックピン４７を、第２ガイド溝３２に形成した第４係合凹部３６と係合させることで、フック２０を未使用位置に固定できることになる。なお、球体２４の左右両側及び前後方向は、本発明の複数の異なる方向の一例であり、球体２４の前方側への回動方向は、本発明のフックの係止端部がハウジングに挿入係止可能な方向の一例である。また、上方位置、右位置、左位置及び未使用位置は、本発明の複数の異なる方向における任意の位置の一例である。
【００３１】
＜本実施形態の効果＞
本実施形態の充電式レシプロソー１では、球体２４の回動によるだけで、該球体２４に連結したフック２０を、複数の異なる方向（球体２４の前後方向や球体２４の左側及び右側）に回動させることが可能になる。よって、フック２０を複数の異なる方向に配置するための操作を簡単に行うことができる。
【００３２】
また、フック２０を使用しない場合には球体２４を、フック２０の係止端部２９がハウジング２の係止孔５１に挿入係止可能な方向（球体２４の前方側への回動方向）へ回動させることで、前記係止端部２９をハウジング２の係止孔５１に収容できる。
【００３３】
さらに、係止端部２９が前記係止孔５１に挿入係止されたときには、例えば壁に設けた係止部材に係止開口５３を係止させることで、充電式レシプロソー１を該係止部材に吊り下げることが可能になる。
【００３４】
加えてハウジング２に設けたロックピン４７を、コイルスプリング４６の付勢力によって、球体２４に形成した第１ないし第４係合凹部３３〜３６と係合させる簡単な構造で、フック２０を、上方位置、右位置、左位置、未使用位置にそれぞれ固定することが可能になる。
【００３５】
さらに加えて、フック２０を連結した球体２４を、ハンドル３の上部でハウジング２の左右方向Ｙの真中位置Ｐに配置したため、ハウジング２の左側及び右側（球体２４の左側及び右側）への球体２４の回動によって、フック２０を、ハウジング２の左側及び右側へ簡単に配置可能となる。
【００３６】
本発明は、上述した実施形態に限定されるものではなく、発明の趣旨を逸脱しない範囲内において構成の一部を適宜変更して実施できる。例えば、上述した実施形態では第１ガイド溝３１に３つの係合凹部３３〜３５を形成したが、これに限らず、第１ガイド溝３１に、ロックピン４７と係合可能な４つ以上の係合凹部を形成し、フック２０をハウジング２の左右方向Ｙで傾倒させる角度が複数選択できるようにしてもよい。
【００３７】
また、上述した実施形態では、ハウジング２側にコイルスプリング４６とロックピン４７とを配置し、球体２４に各係合凹部３３〜３６を形成したが、これに限らず、球体２４側にコイルスプリン４６とロックピン４７とを配置して、ロックピン４７と係合可能な複数の係合凹部をハウジング２側に形成してもよい。さらに、上述した実施形態では、本発明を充電式レシプロソーに適用する例を示したが、これに限らず本発明を交流駆動式のレシプロソーや充電式又は交流駆動式のハンマドリル等の電動工具に適用してもよい。
【符号の説明】
【００３８】
１・・充電式レシプロソー、２・・ハウジング、３・・ハンドル、６・・切断刃、２０・・フック、２４・・球体、３３・・第１係合凹部、３４・・第２係合凹部、３５・・第３係合凹部、３６・・第４係合凹部、４６・・コイルスプリング、４７・・ロックピン、５３・・係止開口、Ｍ・・モータ、Ｐ・・ハウジングの左右方向の真中位置、Ｘ・・ハウジングの前後方向、Ｙ・・ハウジングの左右方向。
【図１】
2014024126.tif 000003
【図２】
2014024126.tif 000004
【図３】
2014024126.tif 000005
【図４】
2014024126.tif 000006
【図５】
2014024126.tif 000007
【図６】
2014024126.tif 000008
【図７】
2014024126.tif 000009
【図８】
2014024126.tif 000010
【図９】
2014024126.tif 000011
【図１０】
2014024126.tif 000012
【図１１】
2014024126.tif 000013
【図１２】
2014024126.tif 000014
【図１３】
2014024126.tif 000015